(57)【要約】【課題】チャンネルベースを水平にするための寸法調整を容易に行える金属閉鎖形スイッチギヤを提供する。【解決手段】収納機器を収納する箱体１と、箱体１を載置固定するチャンネルベール２と、チャンネルベース２を固定する床面５と、床面５とチャンネルベース２間に挟み込みチャンネルベース２の水平をとるためのライナ７と、チャンネルベース２の上部梁２ａに固定された雄ねじ棒１９と、チャンネルベース２の下部梁２ｂに設けた貫通孔１１を一方端が貫通して床面５に当接するとともに、他方端が雄ねじ棒１０に螺合する長尺ナット１２とを備えたことを特徴とする。【選択図】  図１
2014165985.tif 000002
【特許請求の範囲】
【請求項１】
収納機器を収納する箱体と、
前記箱体を載置固定するチャンネルベールと、
前記チャンネルベースを固定する床面と、
前記床面と前記チャンネルベース間に挟み込み前記チャンネルベースの水平をとるためのライナと、
前記チャンネルベースの上部梁に固定された雄ねじ棒と、
前記チャンネルベースの下部梁に設けた貫通孔を一方端が貫通して前記床面に当接するとともに、他方端が前記雄ねじ棒に螺合する長尺ナットと、
を備えたことを特徴とする金属閉鎖形スイッチギヤ。
【請求項２】
前記長尺ナットが前記床面と当接する部分を、前記雄ねじ棒と螺合する部分よりも太径とすることを特徴とする請求項１に記載の金属閉鎖形スイッチギヤ。
【請求項３】
前記長尺ナットの外形が六角形であることを特徴とする請求項１または請求項２に記載の金属閉鎖形スイッチギヤ。
【請求項４】
収納機器を収納する箱体と、
前記箱体を載置固定するチャンネルベールと、
前記チャンネルベースを固定する床面と、
前記床面と前記チャンネルベース間に挟み込み前記チャンネルベースの水平をとるためのライナと、
前記チャンネルベースの上部梁に設けたナットに螺合して貫通する押上ボルトと、
前記チャンネルベースの下部梁に設けた貫通孔を一方端が貫通し、前記床面に当接するとともに、他方端が前記押上ボルトに螺合する長尺ナットと、
を備えたことを特徴とする金属閉鎖形スイッチギヤ。
【請求項５】
前記チャンネルベースの上部梁に雌ねじを設け、前記押上ボルトを螺合させたことを特徴とする請求項４に記載の金属閉鎖形スイッチギヤ。
【発明の詳細な説明】
【技術分野】
【０００１】
本発明の実施形態は、現地据付け時の作業性を向上し得る金属閉鎖形スイッチギヤに関する。
【背景技術】
【０００２】
従来、電気室などに据付けられる金属閉鎖形スイッチギヤは、箱体をチャンネルベースに固定し、このチャンネルベースをコンクリートなどの床面に固定することが知られている（例えば、特許文献１参照。）。
【０００３】
この種の金属閉鎖形スイッチギヤを図４に示すが、真空遮断器などの収納機器を収納した箱体１は、断面コ字状の一対のチャンネルベース２の上部梁２ａにボルト３で載置固定されている。チャンネルベース２の下部梁２ｂには、アンカーボルト４が貫通し、コンクリートの床面５に固定されている。そして、箱体１の水平をとる場合には、ジャッキ６を上部梁２ａにセットし、一旦、チャンネルベース２を持ち上げておき、ライナ７を下部梁２ｂと床面５の間に挟み込んでいた。水平がとれると、ジャッキ６は取外す。なお、図４（ａ）は、正面図、（ｂ）は、側面図である。
【０００４】
このような水平をとるための寸法調整作業においては、ジャッキ６をその都度セットし、水平をとっていたので多大の時間を要していた。特に、列盤をするものでは、全体での水平を見ながら個々のチャンネルベース２の調整作業を行うので、困難な作業となっていた。このため、容易な方法で水平レベルのとれるものが望まれていた。
【先行技術文献】
【特許文献】
【０００５】
【特許文献１】特開２００９−２９６８３１号公報
【発明の概要】
【発明が解決しようとする課題】
【０００６】
本発明が解決しようとする課題は、チャンネルベース２を水平にするための寸法調整を容易に行える金属閉鎖形スイッチギヤを提供することにある。
【課題を解決するための手段】
【０００７】
上記課題を解決するために、実施形態の金属閉鎖形スイッチギヤは、収納機器を収納する箱体と、前記箱体を載置固定するチャンネルベールと、前記チャンネルベースを固定する床面と、前記床面と前記チャンネルベース間に挟み込み前記チャンネルベースの水平をとるためのライナと、前記チャンネルベースの上部梁に固定された雄ねじ棒と、前記チャンネルベースの下部梁に設けた貫通孔を一方端が貫通して前記床面に当接するとともに、他方端が前記雄ねじ棒に螺合する長尺ナットと、を備えたことを特徴とする。
【図面の簡単な説明】
【０００８】
【図１】本発明の実施例１に係る金属閉鎖形スイッチギヤの構成を示す要部拡大断面図。
【図２】本発明の実施例２に係る金属閉鎖形スイッチギヤの構成を示す要部拡大断面図。
【図３】本発明の実施例３に係る金属閉鎖形スイッチギヤの構成を示す要部拡大断面図。
【図４】従来の金属閉鎖形スイッチギヤの構成を示す図。
【発明を実施するための形態】
【０００９】
以下、図面を参照して本発明の実施例を説明する。
【実施例１】
【００１０】
先ず、本発明の実施例１に係る金属閉鎖形スイッチギヤを図１を参照して説明する。図１は、本発明の実施例１に係る金属閉鎖形スイッチギヤの構成を示す要部拡大断面図である。なお、従来と同様の構成部分は、同一符号を付した。
【００１１】
図１に示すように、真空遮断器などの収納機器を収納した箱体１は、断面コ字状の一対のチャンネルベース２の上部梁２ａにボルト３で載置固定されている。チャンネルベース２の下部梁２ｂには、アンカーボルト４が貫通し、コンクリートの床面５に固定されている。
【００１２】
一方、上部梁２ａには、ねじ加工を施した雄ねじ棒１０が溶接などで固定されている。下部梁２ｂには、開口孔１１が設けられ、内周にねじ加工を施した外形が六角形の長尺ナット１２が貫通し、一方端の軸面が床面５に当接している。他方端は、雄ねじ棒１０に螺合している。下部梁２ｂと床面５間には、水平をとるためのライナ７が挟み込まれている。長尺ナット１２の外形は、回転工具に合わせて多角形としてもよい。
【００１３】
これにより、箱体１の水平をとる場合には、図示しないスパナなどで長尺ナット１２を回転させ、水平方向の寸法を調整し、所定厚さのライナ７を挟み込むものとなる。即ち、チャンネルベース２の上下方向の寸法調整が行われる。調整後は、アンカーボルト４を締め付け、固定する。雄ねじ棒１０と長尺ナット１２は、取外しなどを行わず、その状態を保持させておく。列盤する場合では、長尺ナット１２を調整して全体の水平をとっておき、その後、アンカーボルト４を締め付けることにより、調整作業を容易とすることができる。なお、水平をとる場合、チャンネルベース２単独で調整し、その後、箱体１を載置固定してもよく、箱体１を固定したチャンネルベース２を調整してもよい。
【００１４】
上記実施例１の金属閉鎖形スイッチギヤによれば、上部梁２ａに雄ねじ棒１０を固定し、長尺ナット１２を螺合させてチャンネルベース２の水平をとるようにしているので、水平にするための寸法調整を短時間で容易とすることができる。
【実施例２】
【００１５】
次に、本発明の実施例２に係る金属閉鎖形スイッチギヤを図２を参照して説明する。図２は、本発明の実施例２に係る金属閉鎖形スイッチギヤの構成を示す要部拡大断面図である。なお、この実施例２が実施例１と異なる点は、長尺ナットの形状である。図２において、実施例１と同様の構成部分においては、同一符号を付し、その詳細な説明を省略する。
【００１６】
図２に示すように、長尺ナット１２は、上部が六角形で下部がこれより太径の円錐状としている。即ち、床面５に当接する接触面を大きくしている。
【００１７】
上記実施例２の金属閉鎖形スイッチギヤによれば、実施例１による効果のほかに、長尺ナット１２の安定性を向上させることができる。
【実施例３】
【００１８】
次に、本発明の実施例３に係る金属閉鎖形スイッチギヤを図３を参照して説明する。図３は、本発明の実施例３に係る金属閉鎖形スイッチギヤの構成を示す要部拡大断面図である。なお、この実施例３が実施例２と異なる点は、上部梁の上方向から作業できることである。図３において、実施例２と同様の構成部分においては、同一符号を付し、その詳細な説明を省略する。
【００１９】
図３に示すように、上部梁２ａの下部にナット１３を溶接などで固定し、上部梁２ａの上部から押上ボルト１４を貫通させ、ナット１３に螺合させ、更に、長尺ナット１２に螺合させている。なお、上部梁２ａ自体に雌ねじを設け、押上ボルト１４を螺合させてもよい。
【００２０】
上記実施例３の金属閉鎖形スイッチギヤによれば、実施例２による効果のほかに、作業性を向上させることができる。
【００２１】
以上述べたような実施形態によれば、箱体の水平方向の寸法調整を短時間で行うことができる。
【００２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２３】
１  箱体
２  チャンネルベース
２ａ  上部梁
２ｂ  下部梁
３  ボルト
４  アンカーボルト
５  床面
６  ジャッキ
７  ライナ
１０  雄ねじ棒
１１  開口孔
１２  長尺ナット
１３  ナット
１４  押上ボルト
【図１】
2014165985.tif 000003
【図２】
2014165985.tif 000004
【図３】
2014165985.tif 000005
【図４】
2014165985.tif 000006